(57)【特許請求の範囲】
【請求項１】
山、山間部又は高原の高地と、家庭、病院、老人施設、工場の場所か、又はそのクリーンルームとを接続する被覆された一本又は複数本のダクトと、このダクト内に設けたコックを備えた配管と、前記ダクトに適宜間隔で設けた一基又は数基の送風機と、この送風機を制御する一基又は数基の制御部と、前記ダクトの吹出側に設けた、このダクトの吹出側の開閉を司る開閉手段とで構成した、高地空気と水の利用・搬送装置であって、
前記高地空気に、人工的な処理を施さず、前記ダクト、及び送風機を介して、この高地空気の温湿度を確保し、かつ汚染することなく、被覆された一本又は複数本のダクト、及び、前記一基又は数基の送風機を介して、そのまま搬送可能とするとともに、前記高地の貯水部に貯めたミネラル水を、前記配管を介して、搬送可能とする構成とした、高地空気と水の利用・搬送装置。
【請求項２】
請求項１に記載の高地空気と水の利用・搬送装置において、
前記ダクトの吸込側に、吸込み用のラッパ型のフードを設ける構成とした高地空気と水の利用・搬送装置。
【請求項３】
請求項１に記載の高地空気と水の利用・搬送装置において、
前記ダクトの吹出側に設けた開閉手段で、前記クリーンルームの空気の調和、空気の混合、又は空気の温湿度調整を行なう構成とした高地空気と水の利用・搬送装置。
【請求項４】
請求項１に記載の高地空気と水の利用・搬送装置において、
前記ダクトの吸込口に、異物の侵入を排除する集塵手段を付設する構成とした高地空気と水の利用・搬送装置。
【発明の詳細な説明】
【技術分野】
【０００１】
本発明は、山（アルプス連峰、富士山、阿蘇山、浅間山、黒岳、御岳、磐梯山、立山、岩木山、六甲山、大山等の国内の山と、ピレネー山脈、カンチェンジュンガ、ジャヌー、エベレスト、マッキンリー、アイガー、マナスル、金鋼山、黄山、老寨山、桂林山、南・北極圏等の外国の山）、山岳、又は山間部、高原等の高地の新鮮な空気、必要により、河川、海等の新鮮な空気（高地空気）の有効利用と、エネルギーロス・地球環境維持に有益な高地空気と水の利用・搬送装置に関する。
【背景技術】
【０００２】
従来、高地空気を利用する空気調和システムとしては、特開２００４−３６１０７２の「空気調和システム」が挙げられる（文献１とする）。この文献１は、別途に用意した（外部より調達した）高地空気を、室内に供給できる構造の空気調和システムと、また換気によって発生するエネルギーの無駄使いを低減可能である構造の空気調和システム、更には室内機がコンパクトで配設し易い改善された構造の空気調和システムを提供する。その概要は、外部より調達し高地空気を、圧縮機と室外熱交換機を具備する室外機と、この室外機に連通し、高地空気を貯留するタンクと、このタンクに連通し、その内部に室内機に連通するダクトを備えた室内熱交換機と、この室内熱交換機に連通する送風装置、並びに建屋の天井内に配置される前記室内機と、室内に臨んだ給排気ダクトで構成し、別途に貯蔵された高地空気を、制御部の制御によって、前記送風装置の吸入側に供給する構成である。この発明の中に、請求項５に山岳地帯の空気を取入れることが開示されている。
【０００３】
また山岳地の気候を利用し、海水等を水蒸気から液化し、淡水をえることを目的とする先行文献としては、特開２００３−１１６３７７の「造水装置及び緑化改善システム」が挙げられる（文献２とする）。この文献２は、特別なエネルギーを用いることなく自然エネルギーを利用し、海水から淡水を造水することを意図する。その概要は、太陽エネルギー及び高温空気により加熱されて蒸発した水蒸気を、ダクトを通して海抜の高い山岳地の頂上部に導き、過飽和となった水蒸気が液化されて桶部に水として溜められた後に、搬送管に排出されて利用地に搬送されるか、又は山岳地の頂上部に導かれた過飽和の水蒸気は、熱交換器で露点以下に自然冷却して液化し、前述と同様に液化して利用する構造である。
【０００４】
【特許文献１】特開２００４−３６１０７２
【特許文献２】特開２００３−１１６３７７
【発明の開示】
【発明が解決しようとする課題】
【０００５】
前述した文献１は、山岳地帯の高地空気（高地の新鮮な空気）を、ダクトを介して室外機から、前述したルートを介して、室内機に導く構造であるが、その途中に、室外・室内熱交換機、又は貯溜用のタンクを設ける構造である。従って、山岳地帯の高地空気を、直接、事務所、工場内の室内に導かないので、この高地空気が、汚染される虞があること、またこの山岳地帯の高地空気が、充分に活用されていないこと等が考えられ、改良の余地がある。また各機器を可動することは、エネルギーロスが発生するものと考えられる。
【０００６】
また文献２は、海水の水蒸気を、海抜の高い山岳地の頂上部で液化（淡水化）する構造である。この文献２は、海抜の高い山岳地の頂上部の気象条件を有効利用する特徴を備えている。しかし、本発明が、意図する構造、即ち、高地空気の利用・搬送装置とは、その概念を異にする。
【課題を解決するための手段】
【０００７】
請求項１の発明は、高地空気を、ダクトを介して、直接、必要とする箇所（家庭、病院、老人施設、工場等の如く、クリーンルーム、又は高地空気を必要とする箇所）に、導く構造であるので、この高地空気を、汚す（汚染させる）ことなく、供給すること、またこの高地空気が、充分に活用できるようにすること等を意図する。またこの請求項１の発明は、ダクトに各機器を配備しない構造であり、エネルギーロスの発生回避と、地球環境の維持に役立てること等を意図する。さらに請求項１の発明は、高地空気を、生活環境、生命維持、疾病の回復・治癒等に役立てること、又は低コストで、かつ万人が有効利用すること等を意図する。尚、請求項１の発明は、高地の貯水部で貯めたミネラル水を、ダクト内に設けたコックを備えた配管を介して、搬送することで、高地のミネラル水を、充分に活用できるようにすること等を意図する。
【０００８】
請求項１は、山、山間部又は高原の高地と、家庭、病院、老人施設、工場の場所か、又はそのクリーンルームとを接続する被覆された一本又は複数本のダクトと、このダクト内に設けたコックを備えた配管と、前記ダクトに適宜間隔で設けた一基又は数基の送風機と、この送風機を制御する一基又は数基の制御部と、前記ダクトの吹出側に設けた、このダクトの吹出側の開閉を司る開閉手段とで構成した、高地空気と水の利用・搬送装置であって、
前記高地空気に、人工的な処理を施さず、前記ダクト、及び送風機を介して、この高地空気の温湿度を確保し、かつ汚染することなく、被覆された一本又は複数本のダクト、及び、前記一基又は数基の送風機を介して、そのまま搬送可能とするとともに、前記高地の貯水部に貯めたミネラル水を、前記配管を介して、搬送可能とする構成とした、高地空気と水の利用・搬送装置である。
【０００９】
請求項２の発明は、請求項１の目的を達成すること、この目的を達成するに最適で、かつ有益な高地空気の吸込み手段を提供することを意図する。
【００１０】
請求項２は、請求項１に記載の高地空気と水の利用・搬送装置において、
前記ダクトの吸込側に、吸込み用のラッパ型のフードを設ける構成とした高地空気と水の利用・搬送装置である。
【００１１】
請求項３の発明は、請求項１の目的を達成すること、この目的を達成するに最適で、かつ本来の高地の新鮮な空気が備えた、例えば、テンペル、フィトンチッド、イオン効果等の特性を最大限に発揮することを意図する。
【００１２】
請求項３は、請求項１に記載の高地空気と水の利用・搬送装置において、
前記ダクトの吹出側に設けた開閉手段で、前記クリーンルームの空気の調和、空気の混合、又は空気の温湿度調整を行なう構成とした高地空気と水の利用・搬送装置である。
【００１３】
【００１４】
【００１５】
請求項４の発明は、請求項１の目的を達成すること、この目的を達成するに最適で、かつ有益な高地空気を確実に、ダクトに吸込みことができる構造を提供することを意図する。
【００１６】
請求項４は、請求項１に記載の高地空気と水の利用・搬送装置において、
前記ダクトの吸込口に、異物の侵入を排除する集塵手段を付設する構成とした高地空気と水の利用・搬送装置である。
【発明の効果】
【００１７】
請求項１の発明は、山、山間部又は高原の高地と、家庭、病院、老人施設、工場の場所か、又はそのクリーンルームとを接続する被覆された一本又は複数本のダクトと、ダクト内に設けたコックを備えた配管と、ダクトに適宜間隔で設けた一基又は数基の送風機と、送風機を制御する一基又は数基の制御部と、ダクトの吹出側に設けた、ダクトの吹出側の開閉を司る開閉手段とで構成した、高地空気と水の利用・搬送装置であって、
高地空気に、人工的な処理を施さず、ダクト、及び送風機を介して、高地空気の温湿度を確保し、かつ汚染することなく、被覆された一本又は複数本のダクト、及び、前記一基又は数基の送風機を介して、そのまま搬送可能とするとともに、高地の貯水部に貯めたミネラル水を、配管を介して、搬送可能とする構成とした、高地空気と水の利用・搬送装置である。
【００１８】
従って、請求項１は、高地の新鮮な空気（高地空気とする）を、ダクトを介して、直接、必要とする箇所（家庭、病院、老人施設、工場等の如く、クリーンルーム、又は高地空気を必要とする箇所）に、導く構造であるので、この高地空気を、汚す（汚染させる）ことなく、供給できること、またこの高地空気が、充分に活用できること等の特徴を有する。またこの請求項１は、ダクトに各機器を配備しない構造であり、エネルギーロスの発生回避と、地球環境の維持に役立てる得る実益がある。さらに請求項１は、高地空気を、生活環境、生命維持、疾病の回復・治癒等に役立て得ること、又は低コストで、かつ万人が有効利用できること等の特徴を有する。尚、請求項１は、高地の貯水部で貯めたミネラル水を、ダクト内に設けたコックを備えた配管を介して、搬送することで、高地のミネラル水を、充分に活用できる実益がある。
【００１９】
請求項２の発明は、請求項１に記載の高地空気と水の利用・搬送装置において、
ダクトの吸込側に、吸込み用のラッパ型のフードを設ける構成とした高地空気と水の利用・搬送装置である。
【００２０】
従って、請求項２は、請求項１の目的を達成できること、この目的を達成するに最適で、かつ有益な高地空気の吸込み手段を提供できること等の特徴を有する。
【００２１】
請求項３の発明は、請求項１に記載の高地空気と水の利用・搬送装置において、
ダクトの吹出側に設けた開閉手段で、クリーンルームの空気の調和、空気の混合、又は空気の温湿度調整を行なう構成とした高地空気と水の利用・搬送装置である。
【００２２】
従って、請求項３は、請求項１の目的を達成できること、この目的を達成するに最適で、かつ本来の高地の新鮮な空気が備えた、例えば、テンペル、フィトンチッド、イオン効果等の特性を最大限に発揮できること等の特徴を有する。
【００２３】
【００２４】
【００２５】
請求項４の発明は、請求項１に記載の高地空気と水の利用・搬送装置において、
ダクトの吸込口に、異物の侵入を排除する集塵手段を付設する構成とした高地空気と水の利用・搬送装置である。
【００２６】
従って、請求項４は、請求項１の目的を達成できること、この目的を達成するに最適で、かつ有益な高地空気を確実に、ダクトに吸込みことができる構造を提供できること等の特徴を有する。
【発明を実施するための最良の形態】
【００２７】
本発明の一例を説明する。
【００２８】
図面の説明をすると、図１は本発明のマンションに配備した状態を示した概念図、図２は本発明を家庭に配備した状態を示した概念図、図３は本発明を工場に配備した状態を示した概念図、図４は本発明における送風機を示した概念図、図５は本発明における配管を設けた概念図、図６は本発明の全体を示した概略図である。
【００２９】
図において、１は山、山間部又は高原等の高地Мの高地空気Ａを搬送する一本又は複数本のダクトで、このダクト１には、適宜間隔で設けた一基又は数基の送風機２と、送風機２を制御する一基又は数基の制御部３とが設けられており、このダクト１に吸込まれた高地空気Ａを汚染しない付帯設備とする。このような付帯設備とすることで、高地Мの高地空気Ａを、各種の機械加工・機械製造・食品製造等の工場Ｂ、家庭Ｃ、又は病院、老人施設等のようなクリーンルーム（必要とする箇所）に、そのまま（生のままで、全く汚染及び／又は手が加えられていない状態で）搬送し、かつ使用できるので、前述した、各効果が期待できる。
【００３０】
このダクト１の吹出側１００には、コック、弁等の開閉手段５を設け、開閉手段５を介して、このダクト１の吹出側１００の開閉を司る構造である。また必要により、ダクト１の吸込側１０１にフィルター６を設けて、異物の侵入を防止すること、又はこの吸込側１０１にフード７を設けて、大量で、かつ新鮮な高地空気Ａ（それぞれが希望する高地空気Ａ）を、効率よく、また確実かつ大量に吸込み可能とすることが望ましい。
【００３１】
そして、このダクト１には、必要により、内部の高地空気Ａの温湿度を保持するための被覆手段（図示せず）が設けられており、自然の状態で、ダクト１の吹出側１００より供給される構造とする。またその吹出し量及び／又はスピードは、送風機２によるコントロールと、自然の流れにより、高地Мの高地空気Ａの流れで、吹出される構造とする。これらの構造により、高地Мにおける高地空気Ａを、工場Ｂ、家庭Ｃ、又は病院、老人施設等のようなクリーンルームにおいて享受できるので、極めて有効であり、殊に、多忙者や、障害者、疾病者、老人等で、この種の高地Мに行けない人にとっては、誠に有益である。なお、このダクト１を前記クリーンルームに用いるに併せて、街中の木と併用することで、その効果は、増大すると考えられる。
【００３２】
なお、図６は、その構造の一例を示した概略図であり、高地Мから高地空気Ａを吸い込み、ダクト１で、都市部Ｄ、ビル群Ｅ、ホテルＦ、病院Ｇ、学校Ｈ等の場所に吹出す構造であり、これらの場所以外にも、人間が集まる場所、空気が汚染している場所等にこのダクト１を連結すれば、上述の如く、新鮮な空気を運ぶことができ、非常に有益であると考えられる。なお、本図における例の場合、ダクト１をクロス部材１ａ等の結合部材を介して、多岐の場所に亘るように、分岐菅１ｂを連結する。そして、この分岐管１ｂは、ダクト１と同様の構造であるため、その効果、目的は同一である。
【００３３】
なお、前記の箇所以外にも、運動施設等にも用いることが考えられる。その運動施設では、施設利用者が、運動等を促進しやすい環境を生成し、肥満（メタボリック）を減少し、例えば万病を予防し、国民の健康を維持することも可能となる。
【００３４】
図中８は調和部で、テンペル、フィトンチッド、イオン等の自然の特性を付与する手段であり、必要により設けられる。また、図示しないが、冷暖房機等の他の空調装置を付設することもあり得る。
【００３５】
以下、その作用と使用の一例を説明すると、高地Мの高地空気Ａを、吸込側１０１に設けたフード７を介して、ダクト１内に吸込み、このダクト１及び／又は送風機２を制御部３で制御して、所定の風圧と、搬送する距離を確保する。この送風機２を介して、ダクト１の配設された、例えば、工場Ｂ、家庭Ｃ、又は病院、老人施設等のようなクリーンルームに送り、このダクト１の吹出側１００に設けた開閉手段５を介して、その吹出し口より、高地空気Ａを供給するか、又は天井面より吹き降ろし送風と、指定箇所より所定の方向に向って送風する。この高地空気Ａを利用することで、前述の効果が享受できる。尚、高地空気Ａの停止は、開閉手段５を閉塞することで、直ちに停止される（吸込がなくなる）。また、このダクト１の本数・長さ・分岐の方法等は、限定されない。
【００３６】
また、図示しないが、吹出側１００及び／又は吸込側１０１に設けた貯水部に、噴霧手段を設けて、水を噴霧することも可能であり、前述のような冷房効果、加湿効果等の効果の効果も併せて期待できる。なお、その他の構造として、ダクト１内に配管１０を嵌置し、吸込側１０１に設けた濾過した水等を採取する役割を果たす貯水部（図示しない）を設け、この貯水部より、水を搬送することも可能であり、ダクト１内を水路とし、ミネラルを含む水を活用する。
【図面の簡単な説明】
【００３７】
【図１】図１は本発明のマンションに配備した状態を示した概念図
【図２】図２は本発明を家庭に配備した状態を示した概念図
【図３】図３は本発明を工場に配備した状態を示した概念図
【図４】図４は本発明における送風機を示した概念図
【図５】図５は本発明における配管を設けた概念図
【図６】図６は本発明の全体を示した概略図
【符号の説明】
【００３８】
１            ダクト
１ａ          クロス部材
１ｂ          分岐管
１００        吹出側
１０１        吸込側
２            送風機
３            制御部
５            開閉手段
６            フィルター
７            フード
８            中和部
М            高地
Ａ            高地空気
Ｂ            工場
Ｃ            家庭
Ｄ            都市部
Ｅ            ビル群
Ｆ            ホテル
Ｇ            病院
Ｈ            学校
【図１】
0004689655.tif 000002
【図２】
0004689655.tif 000003
【図３】
0004689655.tif 000004
【図４】
0004689655.tif 000005
【図５】
0004689655.tif 000006
【図６】
0004689655.tif 000007